(57)【要約】【課題】電源コードを円滑に取付けると共に、高効率や低コストを図ることができるバックライトモジュールのランプ設置構造を提供する。【解決手段】本考案は、ランプ設置ユニット（１）を備え、該ランプ設置ユニット（１）は、電源コード挿入口（１２）とランプ設置端（１１）を有し、該ランプ設置端（１１）にランプ設置方向（Ｉ）に沿って、ランプソケット（２１、２２）が形成されるバックライトモジュールのランプ設置構造であって、該ランプソケット（２１、２２）にランプ設置方向（Ｉ）に沿ってスリット（１３、１４）が形成されることを特徴とする。そうすると、電源コード（４）を先にランプ設置ユニット（１）から引き出し、電源コード（４）の摩擦力が低減すると共に、取付けが簡単になるという効果が得られる。【選択図】図１
0003143304.tif 000002
【実用新案登録請求の範囲】
【請求項１】
ランプ設置ユニットを備え、該ランプ設置ユニットは、電源コード挿入口とランプ設置端を有し、該ランプ設置端にランプ設置方向に沿って少なくとも一つのランプソケットが形成されるバックライトモジュールのランプ設置構造であって、該ランプソケットにランプ設置方向に沿って少なくとも一つのスリットが形成されることを特徴とする、バックライトモジュールのランプ設置構造。
【請求項２】
前記スリットは、該ランプ設置ユニットの頂面に形成されることを特徴とする、請求項１に記載のバックライトモジュールのランプ設置構造。
【請求項３】
前記スリットは、該ランプ設置ユニットの側壁面に形成されることを特徴とする、請求項１に記載のバックライトモジュールのランプ設置構造。
【請求項４】
前記スリットは、該ランプ設置ユニットにおける頂面と側壁面との連接箇所に形成されることを特徴とする、請求項１に記載のバックライトモジュールのランプ設置構造。
【考案の詳細な説明】
【技術分野】
【０００１】
本考案は、バックライトモジュールに係り、特にランプの設置ユニットを改良するバックライトモジュールのランプ設置構造に関するものである。
【背景技術】
【０００２】
従来のランプ設置構造には、様々な問題が存在し、例えば、ベースとランプ及びコードの組合が困難であるため、ベースを変形しやすく、且つその取付け中、電源コードが断裂しやすいという問題があった。更に、ランプの溶接後の組合過程で電極と電源コードの変形や断裂が発生しやすく、且つ、ランプが故障する場合、ランプを取外すことも難しいため、製造コストが増加してしまうという問題があった。
【０００３】
台湾特許公告第Ｉ２９２５０２号による従来の技術では、まず電源コードとランプ電極を溶接した後、該連結したランプと電源コードがランプ保護部材のスリットを通じてランプ保護部材内に設置されることを記載するが、ランプの直径は、スリットの幅より大きいため、該連結したランプと電源コードの設置時、溶接箇所を損傷してしまうという問題があった。
【特許文献１】台湾特許公告第Ｉ２９２５０２号公報
【考案の開示】
【考案が解決しようとする課題】
【０００４】
また、従来の構造では、電源コードをランプソケットまでに延伸し難く、更に、電源コードをランプソケットに延ばして差し込んだ後、電源コードやベースの変形が発生するという問題もあった。さらに、電源コードとランプ電極を溶接した後、ベース内に設置する際、電源コードとランプ電極を変形させる恐れがある。
【０００５】
そこで、本考案は、電源コードを円滑に取付けることができ、高効率や低コストを図ることができるバックライトモジュールのランプ設置構造を提供することを目的としている。
【課題を解決するための手段】
【０００６】
本願の請求項１の考案は、ランプ設置ユニットを備え、該ランプ設置ユニットは、電源コード挿入口とランプ設置端を有し、該ランプ設置端にランプ設置方向に沿って少なくとも一つのランプソケットが形成されるバックライトモジュールのランプ設置構造であって、該ランプソケットにランプ設置方向に沿って少なくとも一つのスリットが形成されることを特徴とするバックライトモジュールのランプ設置構造、を提供する。
【０００７】
本願の請求項２の考案は、前記スリットは、該ランプ設置ユニットの頂面に形成されることを特徴とする請求項１に記載のバックライトモジュールのランプ設置構造、を提供する。
【０００８】
本願の請求項３の考案は、前記スリットは、該ランプ設置ユニットの側壁面に形成されることを特徴とする請求項１に記載のバックライトモジュールのランプ設置構造、を提供する。
【０００９】
本願の請求項４の考案は、前記スリットは、該ランプ設置ユニットにおける頂面と側壁面との連接箇所に形成されることを特徴とする請求項１に記載のバックライトモジュールのランプ設置構造、を提供する。
【考案の効果】
【００１０】
本考案は、上記の課題を解決するものであり、電源コード挿入口とランプ設置端を有するランプ設置ユニットを備え、該ランプ設置端にスリットを有するランプソケットを形成することにより、電源コードを先にランプ設置ユニットから引き出し、電源コードの摩擦力を低減すると共に、取り付けやすい効果を達成することができる。
【考案を実施するための最良の形態】
【００１１】
以下、添付図面を参照して本考案の好適な実施の形態を詳細に説明する。なお、下記実施例は、本考案の好適な実施の形態を示したものにすぎず、本考案の技術的範囲は、下記実施例そのものに何ら限定されるものではない。
【００１２】
図１は本考案に係るバックライトモジュールのランプ設置構造の実施例１を示す斜視図であり、図２は図１の平面図であり、図３は図１の３-３線の断面図であり、図４は図１の４-４線の断面図であり、図５は本考案に係るバックライトモジュールのランプ設置構造の実施例１に関する使用状態の分解斜視図であり、図６は本考案に係るバックライトモジュールのランプ設置構造と電源コードとランプとの組合状態を示す断面図であり、図７は本考案に係るバックライトモジュールのランプ設置構造の実施例２を示す斜視図であり、図８は本考案に係るバックライトモジュールのランプ設置構造の実施例３を示す斜視図である。
【実施例１】
【００１３】
図１及び図５に示すように、本考案に係るバックライトモジュールのランプ設置構造は、ランプ設置ユニット（１）を備え、該ランプ設置ユニット（１）は、電源コード挿入口（１２）とランプ設置端（１１）を有し、該ランプ設置端（１１）にランプソケット（２１）（２２）が形成され、該ランプソケット（２１）（２２）に夫々スリット（１３）（１４）が形成され、該ランプ設置端（１１）と電源コード挿入口（１２）が互いに連通され、故に、電源コード（４）をランプ設置ユニット（１）に設置した後、該電源コード（４）がランプ設置端（１１）のランプソケット（２１）（２２）から露出されると共に、ランプ（３１）（３２）の電極溶接部と溶接することができる。その中、符号（Ｉ）はランプ設置方向である。一方、他の電源コード（４）がランプ設置ユニット（１）に設置した後、電源コード引き出し孔（２３）（２４）から露出されると共に、ランプ（３１）（３２）における他の電極溶接部と溶接することができる。
【００１４】
図１、図２及び図６に示すように、電源コード（４）を該電源コード挿入口（１２）からランプ設置ユニット（１）内に挿入した後、夫々ランプソケット（２１）（２２）のスリット（１３）（１４）と電源コード引き出し孔（２３）（２４）によって該電源コード（４）を引き出す。
【００１５】
図３及び図６に示すように、該電源コード（４）がランプ設置ユニット（１）のランプソケット（２１）のスリット（１３）に延伸した後、該スリット（１３）によって該電源コード（４）を所定の長さに引き出し、次に該電源コード（４）をランプソケット（２１）に置き込み、該電源コード（４）の端部が該ランプ設置端（１１）に露出される。
【００１６】
図４及び図６に示すように、該電源コード（４）を該電源コード挿入口（１２）からランプ設置ユニット（１）内に挿入した後、該ランプソケット（２１）（２２）に夫々スリット（１３）（１４）が形成されるので、電源コード（４）を先に引き出すことができ、故に該電源コード（４）が変形や断裂するという問題を防止できる。
【００１７】
図５には、図１に示すようなランプ設置ユニット（１）において、ランプ（３１）及びランプ（３２）におけるランプ電極（５）及びランプ電極（６）を電源コード（４）に溶接する状況を示す。図５に示すように、ランプ（３１）をランプ設置方向（Ｉ）に沿って該ランプソケット（２１）に挿入すると、ランプ設置ユニット（１）にスリット（１３）が形成されるので、電源コード（４）の摩擦力を降下すると共に、取付けやすい効果を達成することができる。同様に、ランプ（３２）をランプ設置方向（Ｉ）に沿って該ランプソケット（２２）に挿入すると、該スリット（１４）で電源コード（４）の摩擦力を降下すると共に、取付けやすい効果を達成することができる。
【００１８】
図６に示すように、該電源コード（４）を該電源コード挿入口（１２）からランプ設置ユニット（１）内に挿入した後、該ランプソケット（２１）のスリット（１３）を通じて該電源コード（４）を所定の長さに引き出し、次に該電源コード（４）を再びランプソケット（２１）に置き込み、該電源コード（４）の端部が該ランプ設置端（１１）に露出されると共に、ランプ電極（５）と溶接することができる。
【実施例２】
【００１９】
図７に示すように、本考案に係るバックライトモジュールのランプ設置構造の実施例２は、前記実施例１と殆んど等しく、異なるのは、該ランプ設置ユニット（１ａ）のスリット（１３）（１４）が前記実施例１と異なる箇所に形成され、本実施例の該スリット（１３）（１４）は、該ランプ設置ユニット（１ａ）の側壁面（１５）に形成される。
【実施例３】
【００２０】
図８に示すように、本考案に係るバックライトモジュールのランプ設置構造の実施例３は、前記実施例１と殆んど等しく、異なるのは、本実施例の該スリット（１３）（１４）は、該ランプ設置ユニット（１ａ）の頂面（１７）に形成される。
【産業上の利用可能性】
【００２１】
本考案は上記構成を有するものであり、電源コード挿入口とランプ設置端を有するランプ設置ユニットを備え、該ランプ設置端にスリットを有するランプソケットが形成されることにより、電源コードを先にランプ設置ユニットから引き出し、電源コードの摩擦力を降下すると共に、取り付けやすい効果を達成することができる。
【図面の簡単な説明】
【００２２】
【図１】本考案に係るバックライトモジュールのランプ設置構造の実施例１を示す斜視図である。
【図２】図１の平面図である。
【図３】図１の３-３線の断面図である。
【図４】図１の４-４線の断面図である。
【図５】本考案に係るバックライトモジュールのランプ設置構造の実施例１に関する使用状態の分解斜視図である。
【図６】本考案に係るバックライトモジュールのランプ設置構造と電源コードとランプとの組合状態を示す断面図である。
【図７】本考案に係るバックライトモジュールのランプ設置構造の実施例２を示す斜視図である。
【図８】本考案に係るバックライトモジュールのランプ設置構造の実施例３を示す斜視図である。
【符号の説明】
【００２３】
１      ランプ設置ユニット
１ａ    ランプ設置ユニット
１ｂ    ランプ設置ユニット
１１    ランプ設置端
１２    電源コード挿入口
１３    スリット
１４    スリット
１５    側壁面
１６    側壁面
１７    頂面
２１    ランプソケット
２２    ランプソケット
２３    電源コード引き出し孔
２４    電源コード引き出し孔
３１    ランプ
３２    ランプ
４      電源コード
５      ランプ電極
６      ランプ電極
Ｉ      ランプ設置方向
【図１】
0003143304.tif 000003
【図２】
0003143304.tif 000004
【図３】
0003143304.tif 000005
【図４】
0003143304.tif 000006
【図５】
0003143304.tif 000007
【図６】
0003143304.tif 000008
【図７】
0003143304.tif 000009
【図８】
0003143304.tif 000010